(57)【要約】【課題】圧板が閉まるまでの時間をできるだけ短くし、かつランプのオン／オフによる原稿サイズ誤検知を低減すること。【解決手段】原稿読み取り位置にセットされた原稿に対して光照射するランプ２と、ランプ２を原稿に沿って走査する第１キャリッジ６と、第１キャリッジ６によって得られる光学画像を入力し、画像データを取得するＣＣＤ９と、原稿の副走査方向のサイズを検知するサイズセンサ２０と、ＣＣＤ９の画像データから主走査サイズを検知するＩＰＵ１０５と、を有する原稿読取装置であって、原稿の状態をサイズセンサ２０の変化によって監視し、この監視状態にしたがってランプ２の点灯／消灯を制御するＣＰＵ１０１を備える。【選択図】        図１
2007060613.tif 000002
【特許請求の範囲】
【請求項１】
原稿読み取り位置にセットされた原稿に対して光照射する原稿照射手段と、前記原稿照射手段を前記原稿に沿って走査する走査手段と、前記走査手段によって得られる光学画像を入力し、画像データを取得する画像読取手段と、を有する原稿読取装置であって、
前記原稿のセット状態の変化を監視し、この監視状態にしたがって前記原稿照射手段の点灯／消灯を制御する制御手段を備えたことを特徴とする画像読取装置。
【請求項２】
さらに、前記原稿の副走査方向のサイズを検知するサイズセンサを備え、
前記制御手段は、前記原稿の状態を前記サイズセンサの変化によって監視し、この監視状態にしたがって前記原稿照射手段の点灯／消灯を制御することを特徴とする請求項１に記載の画像読取装置。
【請求項３】
前記制御手段は、前記原稿の読取動作中に原稿の状態が変化した場合、当該原稿の読取動作後も前記原稿照射手段を点灯させたままの状態で待機することを特徴とする請求項２に記載の画像読取装置。
【請求項４】
前記制御手段は、前記原稿の読取動作中に原稿の状態が変化した場合、当該原稿の読取動作後も前記原稿照射手段を消灯させ、前記走査手段が待機位置に到達した後に、再度、前記原稿照射手段を点灯させたままの状態で待機することを特徴とする請求項２に記載の画像読取装置。
【請求項５】
さらに、前記原稿の読取動作の終了後に前記原稿照射手段を継続して点灯させるか否かの設定を行う継続点灯設定手段を備えたことを特徴とする請求項２、３または４に記載の画像読取装置。
【請求項６】
さらに、前記原稿を読取位置に押さえる圧板の開閉を検知する圧板開閉検知手段を備え、
前記制御手段は、前記原稿の状態を前記圧板開閉検知手段の変化によって監視し、この監視状態にしたがって前記原稿照射手段の点灯／消灯を制御することを特徴とする請求項１に記載の画像読取装置。
【請求項７】
前記制御手段は、前記原稿の読取動作中に原稿の状態が変化した場合、当該原稿の読取動作後も前記原稿照射手段を点灯させたままの状態で待機することを特徴とする請求項６に記載の画像読取装置。
【請求項８】
前記制御手段は、前記原稿の読取動作中に原稿の状態が変化した場合、当該原稿の読取動作後も前記原稿照射手段を消灯させ、前記走査手段が待機位置に到達した後に、再度、前記原稿照射手段を点灯させたままの状態で待機することを特徴とする請求項６に記載の画像読取装置。
【請求項９】
さらに、前記原稿の読取動作の終了後に前記原稿照射手段を継続して点灯させるか否かの設定を行う継続点灯設定手段を備えたことを特徴とする請求項６、７または８に記載の画像読取装置。
【請求項１０】
前記継続点灯設定手段は、当該装置に接続され外部に設けられたことを特徴とする請求項９に記載の画像読取装置。
【発明の詳細な説明】
【技術分野】
【０００１】
本発明は、デジタル複写機、複合機などの画像形成装置における画像読取装置に関するものである。
【背景技術】
【０００２】
従来の原稿読取装置において、ブック読取り時に原稿サイズを検知する方式として赤外線センサを用いていたが、近年赤外線センサを用いずに、原稿読取り用のラインセンサを用いて原稿サイズを検知する方式が用いられるようになってきている。原稿サイズを検知する場合、主走査サイズのみならず副走査方向のサイズも必要になるが、副走査方向の原稿サイズ検知を行おうとすると、原稿面をプレスキャンする必要が出てくる。これだとスキャン速度等に影響を及ぼしてしまうので、実際には副走査方向の原稿サイズ検知は従来通り赤外線センサにて行い、主走査方向検知のみ、ラインセンサによる読取データを使う方式が主流となっている（たとえば、特許文献１、２、３参照）。
【０００３】
特許文献１は、圧板開放時に原稿内は白、原稿外は黒であるとして主走査方向の原稿サイズを判断する方式である。また、特許文献２は、圧板開放時に原稿内は白、原稿外は黒であるとして主走査方向の原稿サイズを判断する方式は特許文献１と同じであるが、ランプが点灯した場合とランプが消灯した場合と２つの条件でデータを取り、外乱光の影響を除くことを特徴としている。また、特許文献３は、圧板開放時に原稿内は白、原稿外は黒であるとして主走査方向の原稿サイズを判断する方式は特許文献１と同じであるが、主走査方向の複数点でのラインセンサの読取データを用いて主走査原稿サイズを検知するものである。
【０００４】
【特許文献１】特開平１０−２５７２５５号公報
【特許文献２】特開２０００−１３８７９８号公報
【特許文献３】特開２００３−１９８８０９号公報
【発明の開示】
【発明が解決しようとする課題】
【０００５】
しかしながら、上記に示されるような従来の技術にあっては、下記のような問題点があった。特許文献１、２は、２種類以上の読取データから原稿サイズ検知の精度を上げるという点で効果はあるが、圧板が閉まるまでの時間をより短くすることができなかった。また、特許文献３は、圧板が閉まるまでの時間は短くて済むが、ランプが点灯しているかどうかという点は言及しておらず、さらに副走査に単純平均してしまっているため、ランプオン／オフ状態により誤動作する可能性が高くなってしまう。
【０００６】
本発明は、上記に鑑みてなされたものであって、圧板が閉まるまでの時間をできるだけ短くし、かつランプのオン／オフによる原稿サイズ誤検知を低減することを目的とする。
【課題を解決するための手段】
【０００７】
上述した課題を解決し、目的を達成するために、請求項１にかかる発明は、原稿読み取り位置にセットされた原稿に対して光照射する原稿照射手段と、前記原稿照射手段を前記原稿に沿って走査する走査手段と、前記走査手段によって得られる光学画像を入力し、画像データを取得する画像読取手段と、を有する原稿読取装置であって、前記原稿のセット状態の変化を監視し、この監視状態にしたがって前記原稿照射手段の点灯／消灯を制御する制御手段を備えたことを特徴とする。
【０００８】
この請求項１の発明によれば、原稿のセット状態の変化を監視し、この監視状態にしたがって原稿照射手段の点灯／消灯を制御することにより、圧板またはＡＤＦを開放し、コンタクトガラス上にブック原稿をセットして読み取る場合、主走査方向のサイズの検知を行う前に、あらかじめ原稿照射手段の点灯を開始することで、原稿照射手段の光量が安定化するのを速め、原稿サイズ検知に要する時間を短縮させるとともに、ランプ光量不足による誤検知を防止することが可能になる。
【０００９】
また、請求項２にかかる発明は、さらに、前記原稿の副走査方向のサイズを検知するサイズセンサを備え、前記制御手段は、前記原稿の状態を前記サイズセンサの変化によって監視し、この監視状態にしたがって前記原稿照射手段の点灯／消灯を制御することを特徴とする。
【００１０】
この請求項２の発明によれば、原稿の状態を副走査方向のサイズセンサの変化によって監視し、この監視状態にしたがって原稿照射手段の点灯／消灯を制御することにより、圧板またはＡＤＦを開放し、コンタクトガラス上にブック原稿をセットして読み取る場合、主走査方向のサイズの検知を行う前に、あらかじめ原稿照射手段の点灯を開始することで、原稿照射手段の光量が安定化するのを速め、原稿サイズ検知に要する時間を短縮させるとともに、ランプ光量不足による誤検知を防止することが可能になる。
【００１１】
また、請求項３にかかる発明は、前記制御手段は、前記原稿の読取動作中に原稿の状態が変化した場合、当該原稿の読取動作後も前記原稿照射手段を点灯させたままの状態で待機することを特徴とする。
【００１２】
この請求項３の発明によれば、請求項２において、原稿の読取動作中に原稿の状態が変化した場合、当該原稿の読取動作後も原稿照射手段を点灯させたま待機することにより、原稿照射手段の光量が安定化するのを速め、原稿サイズ検知に要する時間を短縮させるとともに、ランプ光量不足による誤検知を防止することが可能になる。
【００１３】
また、請求項４にかかる発明は、前記制御手段は、前記原稿の読取動作中に原稿の状態が変化した場合、当該原稿の読取動作後も前記原稿照射手段を消灯させ、前記走査手段が待機位置に到達した後に、再度、前記原稿照射手段を点灯させたままの状態で待機することを特徴とする。
【００１４】
この請求項４の発明によれば、請求項２において、原稿の読取動作中に原稿の状態が変化した場合、当該原稿の読取動作後も原稿照射手段を消灯させ、走査手段が待機位置に到達した後に、再度、原稿照射手段を点灯させたま待機することにより、原稿照射手段の光量が安定化するのを速め、原稿サイズ検知に要する時間を短縮させるとともに、ランプ光量不足による誤検知を防止することが可能になる。
【００１５】
また、請求項５にかかる発明は、さらに、前記原稿の読取動作の終了後に前記原稿照射手段を継続して点灯させる否かの設定を行う継続点灯設定手段を備えたことを特徴とする。
【００１６】
この請求項５の発明によれば、請求項２，３または４において、原稿の読取動作の終了後に原稿照射手段を継続して点灯させるか否かの設定を行う継続点灯設定手段を備え、この継続点灯設定手段による設定によって、原稿照射手段の光量が安定した状態で原稿サイズ検知が行え、ランプ光量不足による誤検知を防止することが可能になる。
【００１７】
また、請求項６にかかる発明は、さらに、前記原稿を読取位置に押さえる圧板の開閉を検知する圧板開閉検知手段を備え、前記制御手段は、前記原稿の状態を前記圧板開閉検知手段の変化によって監視し、この監視状態にしたがって前記原稿照射手段の点灯／消灯を制御することを特徴とする。
【００１８】
この請求項６の発明によれば、圧板の開閉状態の変化、つまり、原稿の入れ換えが生じたことによりサイズ検知を実行する可能性ありと判断してランプを予備点灯させることで、サイズ検知が可能になるまでのランプ光量が安定するまでの待ち時間が短縮される。また、サイズ検知開始時には必ずランプは点灯しているためランプオフ状態での誤検知をなくすことができ、光量不足による誤検知を緩和することが可能になる。
【００１９】
また、請求項７にかかる発明は、請求項６において、前記制御手段は、前記原稿の読取動作中に原稿の状態が変化した場合、当該原稿の読取動作後も前記原稿照射手段を点灯させたままの状態で待機することを特徴とする。
【００２０】
この請求項７の発明によれば、請求項６において、原稿読取中での圧板開閉状態の変化、つまり、原稿の入れ換えが生じたことによりサイズ検知を実行する可能性ありと判断することを条件としてランプを予備点灯させることで、つぎの原稿のためのサイズ検知が可能になるランプ光量が安定するまでの待ち時間が短縮される。また、サイズ検知開始時には必ずランプは点灯しているためランプオフ状態での誤検知や、光量不足による誤検知を緩和することが可能になる。
【００２１】
また、請求項８にかかる発明は、請求項６において、前記制御手段は、前記原稿の読取動作中に原稿の状態が変化した場合、当該原稿の読取動作後も前記原稿照射手段を消灯させ、前記走査手段が待機位置に到達した後に、再度、前記原稿照射手段を点灯させたままの状態で待機することを特徴とする。
【００２２】
この請求項８の発明によれば、請求項６において、請求項７に加え、不要時のランプ消灯時間を確保することでランプの点灯寿命を延ばすことができる。また、原稿なしの状態であった場合ではまぶしくないのでユーザーの目を保護することが可能になる。
【００２３】
また、請求項９にかかる発明は、請求項６、７または８において、さらに、前記原稿の読取動作の終了後に前記原稿照射手段を継続して点灯させるか否かの設定を行う継続点灯設定手段を備えたことを特徴とする。
【００２４】
この請求項９の発明によれば、請求項６、７または８において、請求項７の画像読取装置では点灯したままであるため次原稿のサイズ検知を即座に実行可能である。これに対して請求項８の画像読取装置では一旦消灯を行うため即時性、誤検知の少なさに関しては請求項７の方が優れている。両者は一長一短であるため、この請求項９の画像読取装置においては、ユーザーがどちらの条件で実行するか任意に選択できることによりそれぞれニーズに合った画像読取装置を提供することが可能になる。
【００２５】
また、請求項１０にかかる発明は、請求項９において、前記継続点灯設定手段は、当該装置に接続され外部に設けられたことを特徴とする。
【００２６】
この請求項１０の発明によれば、請求項９において、請求項７の画像読取装置では点灯したままであるため次原稿のサイズ検知を即座に実行可能である。これに対して請求項８の画像読取装置では一旦消灯を行うため即時性、誤検知の少なさに関しては請求項７の方が優れている。両者は一長一短であるため、この請求項１０の画像読取装置においては、ユーザーがどちらの条件で実行するか任意に選択できることによりそれぞれニーズに合った画像読取装置を提供することが可能になる。
【発明の効果】
【００２７】
本発明（請求項１）にかかる画像読取装置は、原稿のセット状態の変化を監視し、この監視状態にしたがって原稿照射手段の点灯／消灯を制御することにより、圧板またはＡＤＦを開放し、コンタクトガラス上にブック原稿をセットして読み取る場合、主走査方向のサイズの検知を行う前に、あらかじめ原稿照射手段の点灯を開始することで、原稿照射手段の光量が安定化するのを速め、原稿サイズ検知に要する時間を短縮させるとともに、ランプ光量不足による誤検知を防止することができるという効果を奏する。
【００２８】
また、本発明（請求項２）にかかる画像読取装置は、原稿の状態を副走査方向のサイズセンサの変化によって監視し、この監視状態にしたがって原稿照射手段の点灯／消灯を制御することにより、圧板またはＡＤＦを開放し、コンタクトガラス上にブック原稿をセットして読み取る場合、主走査方向のサイズの検知を行う前に、あらかじめ原稿照射手段の点灯を開始することで、原稿照射手段の光量が安定化するのを速め、原稿サイズ検知に要する時間を短縮させることができるとともに、ランプ光量不足による誤検知を防止することができるという効果を奏する。
【００２９】
また、本発明（請求項３）にかかる画像読取装置は、請求項２において、原稿の読取動作中に原稿の状態が変化した場合、当該原稿の読取動作後も原稿照射手段を点灯させたま待機することにより、原稿照射手段の光量が安定化するのを速め、原稿サイズ検知に要する時間を短縮させることができるとともに、ランプ光量不足による誤検知を防止することができるという効果を奏する。
【００３０】
また、本発明（請求項４）にかかる画像読取装置は、請求項２において、原稿の読取動作中に原稿の状態が変化した場合、当該原稿の読取動作後も原稿照射手段を消灯させ、走査手段が待機位置に到達した後に、再度、原稿照射手段を点灯させたま待機することにより、原稿照射手段の光量が安定化するのを速め、原稿サイズ検知に要する時間を短縮させることができるとともに、ランプ光量不足による誤検知を防止することができるという効果を奏する。
【００３１】
また、本発明（請求項５）にかかる画像読取装置は、請求項２，３または４において、原稿の読取動作の終了後に原稿照射手段を継続して点灯させる否かの設定を行う継続点灯設定手段を備え、この継続点灯設定手段による設定によって、原稿照射手段の光量が安定した状態で原稿サイズ検知が行え、ランプ光量不足による誤検知を防止することができるという効果を奏する。
【００３２】
また、本発明（請求項６）にかかる画像読取装置は、圧板の開閉状態の変化、つまり、原稿の入れ換えが生じたことによりサイズ検知を実行する可能性ありと判断してランプを予備点灯させることで、サイズ検知が可能になるまでのランプ光量が安定するまでの待ち時間が短縮される。また、サイズ検知開始時には必ずランプは点灯しているためランプオフ状態での誤検知をなくすことができ、光量不足による誤検知を緩和することができるという効果を奏する。
【００３３】
また、本発明（請求項７）にかかる画像読取装置は、請求項６において、原稿読取中での圧板開閉状態の変化、つまり、原稿の入れ換えが生じたことによりサイズ検知を実行する可能性ありと判断することを条件としてランプを予備点灯させることで、つぎの原稿のためのサイズ検知が可能になるランプ光量が安定するまでの待ち時間が短縮される。また、サイズ検知開始時には必ずランプは点灯しているためランプオフ状態での誤検知や、光量不足による誤検知を緩和することができるという効果を奏する。
【００３４】
また、本発明（請求項８）にかかる画像読取装置は、請求項６において、請求項７に加え、不要時のランプ消灯時間を確保することでランプの点灯寿命を延ばすことができる。また、原稿なしの状態であった場合ではまぶしくないのでユーザーの目を保護することができるという効果を奏する。
【００３５】
また、本発明（請求項９）にかかる画像読取装置は、請求項６、７または８において、請求項７の画像読取装置では点灯したままであるため次原稿のサイズ検知を即座に実行可能である。これに対して請求項８の画像読取装置では一旦消灯を行うため即時性、誤検知の少なさに関しては請求項７の方が優れている。両者は一長一短であるため、この請求項９の画像読取装置においては、ユーザーがどちらの条件で実行するか任意に選択できることによりそれぞれニーズに合った画像読取装置を提供することができるという効果を奏する。
【００３６】
また、本発明（請求項１０）にかかる画像読取装置は、請求項９において、請求項７の画像読取装置では点灯したままであるため次原稿のサイズ検知を即座に実行可能である。これに対して請求項８の画像読取装置では一旦消灯を行うため即時性、誤検知の少なさに関しては請求項７の方が優れている。両者は一長一短であるため、この請求項１０の画像読取装置においては、ユーザーがどちらの条件で実行するか任意に選択できることによりそれぞれニーズに合った画像読取装置を提供することができるという効果を奏する。
【発明を実施するための最良の形態】
【００３７】
以下に添付図面を参照して、この発明にかかる画像読取装置の最良な実施の形態を詳細に説明する。
【００３８】
（第１の実施の形態）
本発明は、圧板またはＡＤＦを開放し、コンタクトガラス上にブック原稿をセットして読み取る場合、主走査方向のサイズの検知を行う前に、あらかじめ原稿照射手段の点灯を開始することで、原稿照射手段の光量が安定化するのを速め、原稿サイズ検知に要する時間を短縮させるとともに、ランプ光量不足による誤検知を防止するものである。以下、具体的に説明する。
【００３９】
図１は、本発明の実施の形態にかかる画像読取装置の主要部構成を示すブロック図である。この図において、符号１はブック原稿などがセットされるコンタクトガラス、符号２はコンタクトガラス１に向けて光を照射するランプ、符号９は光学画像を読み取るＣＣＤ（ラインセンサ）、符号１３はキャリッジの所定位置を検知するホームポジションセンサ、符号２０は反射型赤外線センサを用い、複数サイズの副走査方向のサイズを検知するサイズセンサ、符号２１は圧板またはＡＤＦ（自動原稿搬送装置、不図示）の開閉を検知する圧板開閉センサ、符号１０１は画像読取装置全体を制御するＣＰＵ、符号１０２はランプ２の点灯制御を行うランプ制御部、符号１０３はキャリッジ駆動部、符号１０５は読み取った画像データの画像処理を行うＩＰＵ（イメージ・プロセッシング・ユニット）、符号１１０はユーザーが所定の設定指示を行うスイッチなどが設けられ、またその装置状態を表示する操作部、符号１１１は操作部１１０を制御するＣＰＵ、符号１１２は装置の設定状態や動作状態などを表示する表示部、符号１１３はスキャン中の原稿の状態変化でランプ２を継続して点灯させる場合にユーザーが設定を行うためのランプ継続点灯スイッチ、符号１１４は読取開始時に押下されるスタートキーである。これらの詳細については以下に説明する。なお、上記ランプ継続点灯スイッチ１１３の機能を外部、たとえば外部接続されるパーソナルコンピュータなどで機能させてもよい。
【００４０】
図２は、図１における画像読取装置の概略構成を示す断面図である。この画像読取装置は、原稿面をなすコンタクトガラス１上に置いた原稿１０に対してランプ２により光を照射し、第１ミラー３、第２ミラー４、第３ミラー５によって反射させた光をレンズ８によって集光し、ＣＣＤ９上に結像する。ランプ２および第１ミラー３が距離Ｌだけ進む間に第２ミラー４、第３ミラー５は距離Ｌ／２だけ進む。このことにより、光学系の光路長を一定に保ち、原稿全体を走査する。また、符号２１は圧板２２（あるいはＡＤＦ）の開閉を検知する圧板開閉センサ、符号２２は原稿１０をコンタクトガラス１に押しつける圧板である。
【００４１】
図３は、図２における画像読取装置の機械的な構成を示す斜視図である。ランプ２と第１ミラー３を備えた第１キャリッジ６は駆動ワイヤ１１に取り付けられ、第２ミラー４、第３ミラー５、を備えた第２キャリッジ７はプーリ１２に駆動ワイヤが巻きつけられる。駆動軸１４に繋がれたワイヤプーリ１５に駆動ワイヤ１１を巻きつけ、タイミングプーリ１６とタイミングベルト１７によって、モータ１８の駆動を伝達する。第１キャリッジ６の一端がホームポジションセンサ１３を横切ってからある一定距離をリターンさせた位置をホームポジションとする。
【００４２】
図４は、上記の画像読取装置を搭載したデジタル複写機（複合機）の全体構成を示すブロック図である。スキャナ１２０に原稿をセットしてスタートキー１１４（図１参照）を押下すると、スキャナ１２０にて原稿読み取り、ＩＰＵ１０５内で一連の画像処理を行い、プリンタ１３０に画像データを出力し、紙排出が行われる。スキャナ１２０、ＩＰＵ１０５、プリンタ１３０内の必要なパラメータはＣＰＵ１０１に接続されたＲＡＭ１０４内に保持されており、ＣＰＵ１０１により各デバイスに設定が行われる。またパラメータ設定に必要なモード情報は操作部１１０を使ってユーザーが指定できるような構成となっており、操作部１１０内にあるＣＰＵ１１１とＣＰＵ１０１とが通信を行うことで情報の交換を行っている。
【００４３】
図５は、図４におけるＩＰＵ１０５内の構成を示すブロック図である。スキャナ１２０から受け取った原稿読み取りデータに対し、所望の画像処理を実施するが、原稿サイズの検知動作を行う場合、画像処理モジュール５０１に接続された複数ラインメモリ５０３にその画像データを蓄える。複数ラインメモリ５０３を制御するメモリコントローラ５０２を併せ持ち、ＣＰＵ１０１から複数ラインメモリ５０３のデータのリード／ライトが可能となっている。
【００４４】
つぎに、以上のように構成された画像読取装置におけるサイズ検知動作を図５に示すフローチャートを参照し説明する。このサイズ検知動作の制御はＣＰＵ１０１によりＩＰＵ１０５を介して実行される。まず、圧板またはＡＤＦが開放されたか否かを圧板開閉センサ２１の出力信号により判断する（ステップＳ１）。ここで圧板２２が開放されたと判断した場合、サイズセンサ２０の情報を監視し（ステップＳ２）、サイズセンサ２０の情報により原稿状態に変化があったか否かを判断する（ステップＳ３）。ここで原稿状態に変化があったと判断した場合、原稿読取りタイミングの設定、シェーディング（光学歪み）補正に必要な設定などを実行する（ステップＳ４）。
【００４５】
すなわち、キャリッジ（以下、移動するのはこの第１キャリッジ６のみであるため単にキャリッジと記述する）が原稿サイズ検知位置に載置され、かつ圧板２２が閉められたことを検知、もしくはユーザーが原稿の読取りを開始した時点で原稿サイズ検知動作を開始する。圧板２２の開閉は、圧板開閉センサ２１のＯＮ／ＯＦＦによって検知する。原稿サイズ検知が開始されると、第１に原稿サイズ検知のために必要な準備を行う。また、図７、図８に示すような原稿サイズ検知のための原稿読取りタイミングの設定、および必要に応じてシェーディング補正に必要な準備設定を実行する。
【００４６】
このように準備が完了すると、原稿読取りのために原稿の照射を開始する（ステップＳ５）。続いて、原稿を読み取り（ステップＳ６）、原稿の照射を終了し（ステップＳ７）、読み取った原稿画像データを取り出す（ステップＳ８）。続いて、画像データの解析を行い（ステップＳ９）、原稿サイズの検知に成功したか否かを判断し（ステップＳ１０）、成功したならば原稿サイズを決定する（ステップＳ１１）。
【００４７】
なお、ステップＳ２〜Ｓ５では、順次処理するような記載となっているが、特に順序の規定はなく、並行処理することも可能である。
【００４８】
すなわち、サイズ検知の準備および原稿照射の開始の処理が完了した時点で原稿の読取りを実行する。原稿サイズ用のライト信号を発生し、ライト信号の有効期間内の画像データ読取りを行って処理を終了する。このとき、キャリッジを移動させて原稿を走査しながら読取りを実行するか、もしくはキャリッジを原稿サイズ検知位置に停止させたまま読取りを実行し、２ライン以上の読取り画像データを取得してもよい。キャリッジを移動させて原稿を走査しながら読取りを実行する場合には、原稿上の異なる位置の画像を読取ることが可能であり、原稿上の画像データの内容によって原稿サイズの誤検知を招くことを防止するとともに読取りと同時に並行してキャリッジを本来の原稿読取り（本スキャン）位置へ移動させるため、原稿検知後の本スキャン開始までの時間を短縮することができる。一方、キャリッジを原稿サイズ検知位置に停止させたまま読取れば、原稿台に対する外光の影響や原稿照射用のランプの点灯状態の変化を画像データの内容から明確に検出することが可能になるという利点もある（キャリッジを移動させる場合でも検出は不可能ではない）。原稿の読取りが完了したら、原稿の照射を終了する。
【００４９】
ただし、サイズ検知のための原稿読取りが完了した直後に本スキャンを開始するような場合には、原稿照射の処理を実行せず原稿照射用のランプを点灯したままにする場合もあり得るが、図６には本スキャンを実行するか否かの判断処理は記載していない。また、原稿照射の処理は以下に説明する画像データ取り出しの処理との順序の規定はなく並行処理することも可能である。原稿読み取りの処理が完了した時点で、原稿サイズを解析するために読取った原稿画像データの取り出しを行う。この実施の形態において、読取った原稿画像データの取り出しは、図５に記載されているＣＰＵ１０１から複数ラインメモリ５０３に保存されたデータを読み出すことで行われる。取り出した画像データを解析し、原稿サイズの判定を行う。解析の詳細については後述する。そして、原稿サイズの判定が成功した場合には、原稿サイズを決定する。
【００５０】
原稿サイズの決定とは具体的には図５におけるＣＰＵ１０１に接続されたプログラム実行用のＲＡＭ１０４に原稿サイズ情報を保存しておくことであり、以降は必要に応じて決定した原稿サイズ情報を読み出して利用する。原稿サイズの決定後は、原稿サイズ検知動作を完了する。原稿サイズの判定に失敗した場合には、原稿サイズを決定せず、原稿サイズ検知動作を完了する。原稿サイズの判定が失敗する例としては、真黒な原稿であったり、原稿台に対する外光の影響や原稿照射用のランプの点灯状態（ランプ２をＯＮしたが光量が安定していない状態で読取りを実行するなど）によって、読取りデータから原稿のサイズを判定することができない場合が考えられる。以上が本発明における原稿サイズ検知動作の基本シーケンスである。
【００５１】
つぎに、上述した原稿画像データの解析（原稿サイズの判定）について詳細に説明する。図９にメモリコントローラ５０２の一例を示す。ラインセンサ（ＣＣＤ９）の読み取り１ラインの基準となるＸＬＳＹＮＣ信号と画素クロックであるところのＰＣＬＫ、ラインセンサ読み取り開始トリガを示すＸＦＳＹＮＣ信号を画像処理モジュール５０１から受け取り、複数ラインメモリ５０３にライトリセット（ＸＷＲＳＴ）信号とライトイネーブル（ＸＷＥ）信号を渡している。それと共にＣＰＵ１０１からメモリライト領域を示す主走査スタート、主走査幅、副走査スタート、副走査幅の４つのパラメータを受け取り、２つの基準信号：ＸＦＳＹＮＣ、ＸＬＳＹＮＣからメモリ（ＲＡＭ１０４）のライト位置を確定する。
【００５２】
図７に副走査方向のタイミングを、図８に主走査方向のタイミングを示す。メモリコントローラ５０２として上記構成を持つことにより、図１０に示すような２次元方向の複数パッチのデータを同時にメモリ（ＲＡＭ１０４）に書き込むことが可能となる。斜線部がメモリ書込み領域を示す。なお、パラメータ、タイミングとして主走査方向、副走査方向としたが、本発明における副走査方向は原稿読み取りに対する副走査方向のみならず、時間の経過をも示すものとしている。図１０の横軸ｔは時間の経過を示す例で、Ｔ１、Ｔ２での読取パッチの位置を示している。
【００５３】
つぎに、画像データを取り出す例について図１１に示すフローチャートを参照し説明する。ここでは、図１０に示すパッチデータを複数ラインメモリ５０３から１パッチずつＣＰＵ１０１に接続されたＲＡＭ１０４に読み出し、１パッチの平均値を求め２値化を行うことで、パッチの白黒判定を行っている。図１１において、白黒判定フローがスタートし、まず、１パッチ内の画素数を設定する（ステップＳ２１）。その後複数ラインメモリ５０３から１画素単位でリードを行い、設定されたＮ画素の加算を行う（ステップＳ２２，Ｓ２３）。その後、加算した画素数が設定した画素数以上であるか否かを判断する（ステップＳ２４）。ここで、加算した画素数が設定した画素数以上でなければ、さらに１画素読み込む（ステップＳ２９）。
【００５４】
一方、ステップＳ２４で加算した画素数が設定した画素数以上であると判断した場合には、パッチ内の平均値を求め（ステップＳ２５）、そのパッチの２値化を行う（ステップＳ２６）。その結果からパッチの白画素、黒画素を判定する(ステップＳ２７、Ｓ２８)。
【００５５】
なお、上記において平均値を求めるフローとしてＮ画素全加算のあと全平均としているが、たとえば主走査方向だけの加算を行い１ラインでの平均を求め、その後、つぎのラインの加算と平均を繰り返し、最終判定を行う方式でも本発明を実現する上では何ら影響はない。
【００５６】
つぎに本発明における実施の形態について図１２を参照し説明する。原稿サイズ検知の基本的なアルゴリズムは、圧板２２が開いているときに原稿の白地部分と原稿外の原稿の無い部分が反射光がなく黒になることを利用している。つまり図１２だとＴＨよりも明るい場合が原稿有り、ＴＨよりも暗い場合が原稿なしとして判定することになる。ところが、図１２にあるように地肌濃度が暗い原稿の場合、原稿内を読み取ってもＴＨを越えず原稿なしと誤判定してしまう。これを防ぐために上述したように時間Ｔ１、Ｔ２で読み取ったパッチをＰＡＴ１、ＰＡＴ２とし、ＰＡＴ１とＰＡＴ２との差分値を求め、ΔＤ以上差
分がある場合にはＴＨを越えない場合でも原稿有りと判断するようにしている。図９のＣＰＵ１０１からのパラメータ設定として主走査方向スタート／幅、副走査方向スタート／幅に加え、ΔＤ設定を追加する。
【００５７】
つぎに、上述した画像データを解析する例について図１３に示すフローチャートにしたがい説明する。読み取りパッチとして図１０に示すようにＬ（ｎ）ＩＮとＬ（ｎ）ＪＵＤＧＥを用いている。Ｌ（ｎ）のｎはラインセンサ（ＣＣＤ９））の読み取りがスタートしてから何回目の読み取りかを示し（時間経過を示す）、ＩＮとＪＵＤＧＥは主走査方向の位置を示し、ＩＮが検知対象原稿すべて原稿内に入る主走査位置を、ＪＵＤＧＥが原稿により原稿内／外が切り替わる主走査位置を示している。
【００５８】
図１３において、まず、最大検知回数Ｎを設定し（ステップＳ３１）、初期値としてｎ＝１を設定する(ステップＳ３２)。続いて、ｎが最大検知回数Ｎを超えていないかどうか判断し（ステップＳ３３）、Ｎを超えていた場合、検知できず（ステップＳ４１）と判断し検知フローを抜ける。一方、ステップＳ３３においてｎが最大検知回数Ｎを超えていなければ、Ｌ（ｎ）ＩＮ（図１０参照）が白であるか否かを判断する（ステップＳ３４）。ここで、Ｌ（ｎ）ＩＮが白でなければ、検知回数ｎを１つインクリメントし、ステップＳ３２に戻る（ステップＳ４０）。
【００５９】
ステップＳ３４においてＬ（ｎ）ＩＮが白であると判断した場合、ｎ回目のＬ（ｎ）ＪＵＤＧＥ（図１０参照）を検知候補とし（ステップＳ３５）、検知回数ｎを一つ増やし（ステップＳ３６）、Ｌ（ｎ）ＪＵＤＧＥが黒であるか否かを判断する（ステップＳ３７）。ここで、Ｌ（ｎ）ＪＵＤＧＥが黒であれば、Ｌ（ｎ）ＪＵＤＧＥの判定を行ない（ステップＳ３８）、一方、Ｌ（ｎ）ＪＵＤＧＥが黒でなければ、検知回数を一つ戻す（ステップＳ３９）。
【００６０】
このように、ｎ＝Ｎになるまでは以下の判定を繰り返し実行する。Ｌｎ（ＩＮ）が白かどうかを判定する。原稿内も黒である場合はランプオフと判断し、ｎ＝ｎ＋１としてステップＳ３２に戻る。Ｌｎ（ＩＮ）が白であった場合、Ｌ（ｎ）ＪＵＤＧＥの判定結果を検知候補とし、つぎのステップに進む。検知候補を得たｎにプラス１を行い、つぎの読み取り結果の判定を行う。Ｌ（ｎ）ＪＵＤＧＥが黒かどうかを判定する。白であった場合、圧板２２が閉じてしまった可能性が高いため、ここでの判断は行わず前回検知候補だった結果をそのまま用いることとする。もし黒であった場合は前回よりもランプがより安定していると考えられるので、今回の判定結果を用いることにする。
【００６１】
以上が本発明の実施の形態におけるサイズ検知に関する基本シーケンスおよびアルゴリズムである。
【００６２】
つぎに、以上のサイズ検知に関する基本シーケンスおよびアルゴリズムを踏まえ、原稿の状態の変化によってランプ２の点灯制御を行う例について、図１４−１、図１４−２を参照し本発明の実施の形態にかかる第１の動作例について説明する。原稿状態の変化の監視については、副走査方向のサイズセンスに使用されているサイズセンサ２０の情報を利用する。図において、まず、圧板が開けられたことを圧版開閉センサ２１により検知、あるいは操作部１１０のスタートキー１１４の押下による原稿読み取りの指示を確認し（ステップＳ５１）、原稿読み取り設定を行い（ステップＳ５２）、ランプ２を点灯する（ステップＳ５３）。続いて、キャリッジの移動を開始し（ステップＳ５４）、キャリッジが読み取り開始位置にあるか否かを判断する（ステップＳ５５）。つまり、ホームポジションセンサ１３によりキャリッジが所定の位置にあるかを判断する。ここでキャリッジが読み取り開始位置にあると判断した場合、読み取り信号入力を開始し（ステップＳ５６）、キャリッジが読み取り終了位置にあるか否かを判断する（ステップＳ５７）。キャリッジが読み取り終了位置にあれば、この信号入力を終了し（ステップＳ５８）、さらに読み取り動作中に原稿状態に変化があったか否かを判断し（ステップＳ５９）、読み取り動作中に原稿状態に変化がなければランプ２を消灯する（ステップＳ６０）。その後、キャリッジが待機位置にあるか否かを判断し（ステップＳ６１）、待機位置にあればこの動作を終了する。一方、ステップＳ５９において読み取り動作中に原稿状態に変化があったと判断した場合、ステップＳ６１に進みその動作を実行する。
【００６３】
すなわち、圧板２２が開けられたことをトリガーイベントとしてサイズセンサ２０の情報を監視する。サイズセンサ２０の出力信号にしたがって原稿ある／なし情報が少しでも変化した場合に原稿状態が変化したとみなしランプ２の点灯を行う。
【００６４】
このように、操作部１１０のスタートキー１１４が押下されたことをトリガーイベントとして、スキャン動作を開始する。原稿スキャンの諸設定を行い、ランプ２を点灯する。その後、キャリッジの動作を開始し、キャリッジが読取開始位置に到達すれば信号入力を開始する。キャリッジが読取終了位置に到達すれば信号入力を終了し、ランプ２を消灯する。その後、キャリッジが待機位置に到達するまで待ち、キャリッジが待機位置に到達すればスキャン動作を終了する。
【００６５】
つぎに、図１５−１、図１５−２を参照し本発明の実施の形態にかかる第２の動作例について説明する。まず、前述の第１の動作と同様に、圧板２２が開けられたことを圧版開閉センサ２１により検知、あるいは操作部１１０のスタートキー１１４の押下による原稿読み取りの指示を確認し（ステップＳ７１）、原稿読み取り設定を行い（ステップＳ７２）、ランプ２を点灯する（ステップＳ７３）。続いて、キャリッジの移動を開始し（ステップＳ７４）、キャリッジが読み取り開始位置にあるか否かを判断する（ステップＳ７５）。つまり、ホームポジションセンサ１３によりキャリッジが所定の位置にあるかを判断する。ここでキャリッジが読み取り開始位置にあると判断した場合、読み取り信号入力を開始し（ステップＳ７６）、キャリッジが読み取り終了位置にあるか否かを判断する（ステップＳ７７）。キャリッジが読み取り終了位置にあれば、この信号入力を終了する（ステップＳ７８）。続いて、ランプ２を消灯し（ステップＳ７９）、キャリッジが待機位置にあるか否かを判断し（ステップＳ８０）、待機位置にあれば、さらに読み取り動作中に原稿状態に変化があったか否かを判断し（ステップＳ８１）、原稿状態に変化があった場合、ランプ２を消灯し（ステップＳ８２）、この動作を終了する。
【００６６】
このように、操作部１１０のスタートキー１１４が押されたことをトリガーイベントとして、スキャン動作を開始する。まず、原稿スキャンの諸設定を行い、ランプ２を点灯し、キャリッジの動作を開始する。その後、キャリッジが読取開始位置に到達すれば信号入力を開始し、キャリッジが読取終了位置に到達すれば信号入力を終了する。そして、本シーケンス実行中に原稿状態の変化がなければランプ２を消灯する。一方、原稿状態の変化があればランプ２の点灯状態を継続する。さらにキャリッジが待機位置に到達するまで待ち、キャリッジが待機位置に到達すればスキャン動作を終了する。
【００６７】
また、操作部１１０のスタートキー１１４が押されたことをトリガーイベントとして、スキャン動作を開始する。まず、原稿スキャンの諸設定を行い、ランプ２を点灯する。続いて、キャリッジの動作を開始し、キャリッジが読取開始位置に到達すれば信号入力を開始する。一方、キャリッジが読取終了位置に到達すれば信号入力を終了し、ランプ２を消灯する。キャリッジが待機位置に到達するまで待ち、本シーケンス実行中に原稿状態の変化があった場合、ランプ２を再点灯し、スキャン動作を終了する。
【００６８】
つぎに、図１６−１、図１６−２を参照し本発明の実施の形態にかかる第３の動作例について説明する。まず、前述の第１の動作と同様に、圧板２２が開けられたことを圧版開閉センサ２１により検知、あるいは操作部１１０のスタートキー１１４の押下による原稿読み取りの指示を確認し（ステップＳ９１）、原稿読み取り設定を行い（ステップＳ９２）、ランプ２を点灯する（ステップＳ９３）。続いて、キャリッジの移動を開始し（ステップＳ９４）、キャリッジが読み取り開始位置にあるか否かを判断する（ステップＳ９５）。つまり、ホームポジションセンサ１３によりキャリッジが所定の位置にあるかを判断する。ここでキャリッジが読み取り開始位置にあると判断した場合、読み取り信号入力を開始し（ステップＳ９６）、キャリッジが読み取り終了位置にあるか否かを判断する（ステップＳ９７）。キャリッジが読み取り終了位置にあれば、この信号入力を終了する（ステップＳ９８）。続いて、継続点灯の設定（ランプ継続点灯スイッチ１１３のＯＮ）があるか、あるいは原稿読み取り中に原稿状態の変化があったか否かを判断する（ステップＳ９９）。ここで継続点灯の設定がないか、あるいは原稿状態の変化が確認されなければ、ランプ２を消灯する（ステップＳ１００）。一方、継続点灯の設定があった、あるいは原稿状態の変化が確認された場合には、キャリッジが待機位置にあるか否かを判断する（ステップＳ１０１）。ここでキャリッジが待機位置にある場合、さらに、継続点灯の設定（ランプ継続点灯スイッチ１１３のＯＮ）がないか、あるいは原稿読み取り中に原稿状態の変化があったか否かを判断する（ステップＳ１０２）。ここで継続点灯の設定がない、あるいは原稿状態の変化があった場合、ランプ２を点灯する（ステップＳ１０３）。
【００６９】
このように、あらかじめユーザーにより「スキャン中の原稿状態変化でランプ継続点灯」を設定するか、あるいは設定しないかを操作部１１０から選択しておく。操作部１１０のスタートキー１１４が押されたことをトリガーイベントとして、スキャン動作を開始する。まず、原稿スキャンの諸設定を行い、ランプ２を点灯する。キャリッジの動作を開始する。キャリッジが読取開始位置に到達すれば信号入力を開始する。キャリッジが読取終了位置に到達すれば信号入力を終了する。「スキャン中の原稿状態変化でランプ継続点灯」を設定されていない場合、ランプ２を消灯する。「スキャン中の原稿状態変化でランプ継続点灯」を設定されており、かつ、本シーケンス実行中に原稿状態の変化がなかった場合ランプを消灯する。そして、キャリッジが待機位置に到達するまで待つ。一方、「スキャン中の原稿状態変化でランプ継続点灯」を設定されていない場合、かつ、本シーケンス実行中に原稿状態の変化があった場合にランプ２を再点灯し、スキャン動作を終了する。
【００７０】
(第２の実施の形態)
つぎに、原稿の状態を圧板開閉センサ２１の変化によって監視し、この監視状態にしたがってランプ２の点灯／消灯を制御する例について説明する。
【００７１】
図１７は、本発明の第２の実施の形態にかかる動作を示すフローチャートである。なお、この動作はＣＰＵ１０１によって統括的に実行される。図１２において、まず、圧板２２が開放されたか否かを圧板開閉センサ２１の出力信号にしたがって判断する（ステップＳ１１１）。ここで圧板２２が開放されたと判断した場合、ランプ２による原稿への照射を開始する（ステップＳ１１２）。
【００７２】
圧板２２またはＡＤＦ（不図示）の開閉状態の変化は、リフトアップ／ダウンによる圧板開閉センサ２１の出力信号を監視することで検出する。圧板２２（またはＡＤＦ）を所定の角度以上持ち上げると開信号（ＯＦＦ）を出力し、他方、所定の角度以下では閉信号（ＯＮ）を出力する。そして、この圧板２２またはＡＤＦの開信号をトリガーイベントとしてランプ２の点灯を行う。
【００７３】
なお、この第２の実施の形態における原稿スキャン動作の基本シーケンスについては前述した図１４−１〜図１４−２で示したフローチャートと同様である。よって、ここでの重複説明は省略する。
【００７４】
また、一連の原稿読み取り動作中に原稿の入れ替え操作の可能性ありと判断した場合、原稿読み取り動作終了後もランプ２を消灯せずに点灯させる。この動作は前述した図１５−１〜図１５−２で示したフローチャートと同様である。よって、ここでの重複説明は省略する。
【００７５】
つぎに、一連の原稿読取動作中に原稿の入れ替え操作の可能性有りと判断できた場合には、原稿読取動作終了後に該原稿照射手段を消灯させ、原稿走査装置が待機位置に到着した後に再度該原稿照射手段を点灯させて待機させる例について、図１８−１、図１８−２を参照し説明する。
【００７６】
図１８−１、図１８−２において、まず、圧板が開けられたことを圧版開閉センサ２１により検知、あるいは操作部１１０のスタートキー１１４により原稿読み取りの指示を確認し（ステップＳ１２１）、原稿読み取り設定を行い（ステップＳ１２２）、ランプ２を点灯する（ステップＳ１２３）。続いて、キャリッジの移動を開始し（ステップＳ１２４）、キャリッジが読み取り開始位置にあるか否かを判断する（ステップＳ１２５）。つまり、ホームポジションセンサ１３によりキャリッジが所定の位置にあるかを判断する。ここでキャリッジが読み取り開始位置にあると判断した場合、読み取り信号入力を開始し（ステップＳ１２６）、キャリッジが読み取り終了位置にあるか否かを判断する（ステップＳ１２７）。キャリッジが読み取り終了位置にあれば、この信号入力を終了する（ステップＳ１２８）。ランプ２を消灯し（ステップＳ１２９）、キャリッジが待機位置にあるか否かを判断する（ステップＳ１３０）。ここでキャリッジが待機位置にある場合、さらに、原稿読み取り中に原稿状態の変化があったか否かを判断する（ステップＳ１３１）。ここで継続点灯の設定がない、あるいは原稿状態の変化があった場合、ランプ２を点灯する(ステップＳ１３２)。
【００７７】
このように、原稿スキャンの諸設定を行いランプ２を点灯し、キャリッジの動作を開始する。そして、キャリッジが読取開始位置に到達すれば信号入力を開始し、キャリッジが読取終了位置に到達すれば信号入力を終了する。その後、ランプ２を消灯する。続いて、キャリッジが待機位置に到達するまで待ち、圧板開閉センサ２１が開のままであるか、本シーケンス実行中に開閉の変化が一度でもあれば、原稿入れ替えの可能性があるため、ランプ２を再点灯し、スキャン動作を終了する。
【００７８】
つぎに、一連の原稿読取動作中に原稿の入れ替え操作の可能性有りと判断できた場合には、原稿読取動作終了後にランプ２を消灯させ、原稿走査装置が待機位置に到着した後に再度ランプ２を点灯させて待機させるか、または、原稿読取動作終了後もランプ２を消灯させずに点灯させたまま待機させるか、を選択する例、および一連の原稿読取動作中に原稿の入れ替え操作の可能性有りと判断できた場合には、原稿読取動作終了後にランプ２を消灯させ、原稿走査装置が待機位置に到着した後に再度ランプ２を点灯させて待機させるか、または、原稿読取動作終了後もランプ２を消灯させずに点灯させたまま待機させるか、の選択を外部から指定する例について図１９−１、図１９−２を参照し説明する。
【００７９】
図１９−１、図１９−２において、まず、圧板２２が開けられたことを圧版開閉センサ２１により検知、あるいは操作部１１０のスタートキー１１４により原稿読み取りの指示を確認し（ステップＳ１４１）、原稿読み取り設定を行い（ステップＳ１４２）、ランプ２を点灯する（ステップＳ１４３）。続いて、キャリッジの移動を開始し（ステップＳ１４４）、キャリッジが読み取り開始位置にあるか否かを判断する（ステップＳ１４５）。つまり、ホームポジションセンサ１３によりキャリッジが所定の位置にあるかを判断する。ここでキャリッジが読み取り開始位置にあると判断した場合、読み取り信号入力を開始し（ステップＳ１４６）、キャリッジが読み取り終了位置にあるか否かを判断する（ステップＳ１４７）。キャリッジが読み取り終了位置にあれば、この信号入力を終了する（ステップＳ１４８）。続いて、継続点灯の設定（ランプ継続点灯スイッチ１１３のＯＮ）があるか、あるいは原稿読み取り中に原稿状態の変化があったか否かを判断する（ステップＳ１４９）。ここで継続点灯の設定がないか、あるいは原稿状態の変化が確認されなければ、ランプ２を消灯する（ステップＳ１５０）。一方、継続点灯の設定があった、あるいは原稿状態の変化が確認された場合には、キャリッジが待機位置にあるか否かを判断する（ステップＳ１５１）。ここでキャリッジが待機位置にある場合、さらに原稿読み取り中に原稿状態の変化があったか否かを判断する（ステップＳ１５２）。ここで継続点灯の設定がない、あるいは原稿状態の変化があった場合、ランプ２を点灯する（ステップＳ１５３）。
【００８０】
このように、あらかじめユーザーにより「スキャン中の原稿入れ替えでランプ継続点灯」を設定するかしないか操作部１１０から選択しておく。操作部１１０のスタートキー１１４が押されたことをトリガーイベントとして、スキャン動作を開始する。まず、原稿スキャンの諸設定を行い、ランプ２を点灯し、キャリッジの動作を開始する。続いて、キャリッジが読取開始位置に到達すれば信号入力を開始し、キャリッジが読取終了位置に到達すれば信号入力を終了する。続いて、「スキャン中の原稿入れ替えでランプ継続点灯」を設定されていない場合、ランプ２を消灯する。さらに、「スキャン中の原稿入れ替えでランプ継続点灯」を設定されており、かつ、圧板開閉センサ２１が閉のままで本シーケンス実行中に開閉の変化が一度もなければ、ランプ２を消灯する。そして、キャリッジが待機位置に到達するまで待ち、圧板開閉センサ２１が開のままであるか、本シーケンス実行中に開閉の変化が一度でもあれば、原稿入れ替えの可能性があるため、ランプ２を再点灯し、スキャン動作を終了する。
【産業上の利用可能性】
【００８１】
以上のように、本発明にかかる画像読取装置は、デジタル複写機などの画像形成装置やスキャナなどに有用であり、特に、シート原稿あるいはブック原稿をマニュアルでセットして読み取る際に、圧板が閉まるまでの時間をできるだけ短くし、かつランプのオン／オフによる原稿サイズ誤検知を低減する装置やこれを利用したシステムに適している。
【図面の簡単な説明】
【００８２】
【図１】本発明の実施の形態にかかる画像読取装置の主要部構成を示すブロック図である。
【図２】図１における画像読取装置の概略構成を示す断面図である。
【図３】図２における画像読取装置の機械的な構成を示す斜視図である。
【図４】画像読取装置を搭載したデジタル複写機（複合機）の全体構成を示すブロック図である。
【図５】図４におけるＩＰＵ内の構成を示すブロック図である。
【図６】本発明の実施の形態にかかる原稿サイズ検知動作を示すフローチャートである。
【図７】本発明の実施の形態にかかる原稿サイズ検知における副走査方向のタイミングを示すタイミングチャートである。
【図８】本発明の実施の形態にかかる原稿サイズ検知における主走査方向のタイミングを示すタイミングチャートである。
【図９】本発明の実施の形態にかかるメモリコントローラの入出力信号を示すブロック図である。
【図１０】本発明の実施の形態にかかる原稿サイズ検知におけるパッチの白黒判定処理を示す説明図である。
【図１１】本発明の実施の形態にかかる画像データの取り出し例を示すフローチャートである。
【図１２】図１０におけるステップＳ２６の処理動作を示す説明図である。
【図１３】本発明の実施の形態にかかる画像データの解析処理を示すフローチャートである。
【図１４−１】本発明の実施の形態にかかる原稿読み取り開始から終了までの動作例（１−１）を示すフローチャートである。
【図１４−２】本発明の実施の形態にかかる原稿読み取り開始から終了までの動作例（１−２）を示すフローチャートである。
【図１５−１】本発明の実施の形態にかかる原稿読み取り開始から終了までの動作例（２−１）を示すフローチャートである。
【図１５−２】本発明の実施の形態にかかる原稿読み取り開始から終了までの動作例（２−２）を示すフローチャートである。
【図１６−１】本発明の実施の形態にかかる原稿読み取り開始から終了までの動作例（３−１）を示すフローチャートである。
【図１６−２】本発明の実施の形態にかかる原稿読み取り開始から終了までの動作例（３−２）を示すフローチャートである。
【図１７】本発明の第２の実施の形態にかかる動作を示すフローチャートである。
【図１８−１】本発明の第２の実施の形態にかかる動作(１−１)を示すフローチャートである。
【図１８−２】本発明の第２の実施の形態にかかる動作(１−２)を示すフローチャートである。
【図１９−１】本発明の第２の実施の形態にかかる動作(２−１)を示すフローチャートである。
【図１９−２】本発明の第２の実施の形態にかかる動作(２−２)を示すフローチャートである。
【符号の説明】
【００８３】
２  ランプ
６  第１キャリッジ
１３  ホームポジションセンサ
２０  サイズセンサ
２１  圧板開閉センサ
２２  圧板
１０１  ＣＰＵ
１０２  ランプ制御部
１０３  キャリッジ駆動部
１０４  ＲＡＭ
１０５  ＩＰＵ
１１０  操作部
１１１  ＣＰＵ
１１３  ランプ継続点灯スイッチ
１１４  スタートキー
【図１】
2007060613.tif 000003
【図２】
2007060613.tif 000004
【図３】
2007060613.tif 000005
【図４】
2007060613.tif 000006
【図５】
2007060613.tif 000007
【図６】
2007060613.tif 000008
【図７】
2007060613.tif 000009
【図８】
2007060613.tif 000010
【図９】
2007060613.tif 000011
【図１０】
2007060613.tif 000012
【図１１】
2007060613.tif 000013
【図１２】
2007060613.tif 000014
【図１３】
2007060613.tif 000015
【図１４−１】
2007060613.tif 000016
【図１４−２】
2007060613.tif 000017
【図１５−１】
2007060613.tif 000018
【図１５−２】
2007060613.tif 000019
【図１６−１】
2007060613.tif 000020
【図１６−２】
2007060613.tif 000021
【図１７】
2007060613.tif 000022
【図１８−１】
2007060613.tif 000023
【図１８−２】
2007060613.tif 000024
【図１９−１】
2007060613.tif 000025
【図１９−２】
2007060613.tif 000026